(57)【要約】【課題】画像調整処理が正常に行なわれていないことを検出可能な表示装置を提供する。【解決手段】表示装置１００は、第１調整後画像データと第２調整後画像データとを比較する比較処理を行う。第１調整後画像データは、ソースドライバＩＣ６ａが処理対象の画像データに対し画像調整処理を行なうことにより当該ソースドライバＩＣ６ａが取得した調整後画像データである。また、第２調整後画像データは、ソースドライバＩＣ６ｂが処理対象の画像データに対し画像調整処理を行なうことにより当該ソースドライバＩＣ６ｂが取得した調整後画像データである。【選択図】図５
2020181040.tif 000002
【特許請求の範囲】
【請求項１】
表示装置であって、
画像データの調整を行う画像調整処理を行う複数の画像調整素子を備え、
各前記画像調整素子が、処理対象の前記画像データに対し前記画像調整処理を行なうことにより、当該画像調整素子は、調整後の当該画像データである調整後画像データを取得し、
前記複数の画像調整素子は、第１画像調整素子および第２画像調整素子を含み、
前記表示装置は、前記第１画像調整素子が前記画像調整処理を行なうことにより当該第１画像調整素子が取得した前記調整後画像データである第１調整後画像データと、前記第２画像調整素子が当該画像調整処理を行なうことにより当該第２画像調整素子が取得した前記調整後画像データである第２調整後画像データとを比較する比較処理を行う、
表示装置。
【請求項２】
前記第１画像調整素子および前記第２画像調整素子の各々は、前記表示装置が前記調整後画像データに基づいた画像を表示するための電圧であるソース電圧を制御するソース制御部を含む、
請求項１に記載の表示装置。
【請求項３】
前記ソース制御部は、前記調整後画像データが示すデジタル値に対し、Ｄ／Ａ変換を行なう機能を有し、
前記ソース制御部は、前記Ｄ／Ａ変換が行われていない前記デジタル値を使用して、前記比較処理を行なう、
請求項２に記載の表示装置。
【請求項４】
前記比較処理の結果が、前記第１調整後画像データと前記第２調整後画像データとが一致しないという結果である場合、前記表示装置は、当該表示装置において異常が発生していると判定する、
請求項１から３のいずれか１項に記載の表示装置。
【請求項５】
前記表示装置は、前記比較処理を繰り返し行い、
前記比較処理が繰り返し行われることにより、前記第１調整後画像データと前記第２調整後画像データとが一致しないという結果が複数発生した場合、前記表示装置は、当該表示装置において異常が発生していると判定する、
請求項１から３のいずれか１項に記載の表示装置。
【請求項６】
異常が発生していると判定された場合、前記表示装置は異常信号を出力する、
請求項４または５に記載の表示装置。
【請求項７】
前記表示装置は、さらに、
情報を格納するためのレジスタを備え、
異常が発生していると判定された場合、前記表示装置は、異常が発生している旨を示す情報を前記レジスタに格納する、
請求項４から６のいずれか１項に記載の表示装置。
【請求項８】
外部装置が前記表示装置の外部から前記レジスタにアクセス可能なように、当該レジスタは構成されている
請求項７に記載の表示装置。
【請求項９】
前記表示装置は、前記第１調整後画像データの一部と、前記第２調整後画像データの一部とを比較する前記比較処理を行う、
請求項１から８のいずれか１項に記載の表示装置。
【請求項１０】
前記表示装置は、前記第１画像調整素子が前記画像調整処理を行なうために使用する第１パラメータ値と、前記第２画像調整素子が当該画像調整処理を行なうために使用する第２パラメータ値とを比較する処理を含む前記比較処理を行なう
請求項１から９のいずれか１項に記載の表示装置。
【請求項１１】
前記第１画像調整素子が前記画像調整処理を行なうことにより、当該第１画像調整素子は前記第１調整後画像データを取得し、
前記第１画像調整素子は、前記第２調整後画像データを、前記第２画像調整素子から取得し、
前記第２画像調整素子が前記画像調整処理を行なうことにより、当該第２画像調整素子は前記第２調整後画像データを取得し、
前記第２画像調整素子は、前記第１調整後画像データを、前記第１画像調整素子から取得する、
請求項１から１０のいずれか１項に記載の表示装置。
【請求項１２】
前記第１画像調整素子および前記第２画像調整素子の各々は、前記比較処理を行う、
請求項１から１１のいずれか１項に記載の表示装置。
【請求項１３】
前記第１画像調整素子が前記画像調整処理を行なっている第１期間において、前記第２画像調整素子は、当該第１画像調整素子が前記比較処理において使用するための前記第２調整後画像データを取得するための前記画像調整処理を行ない、
前記第２画像調整素子が前記画像調整処理を行なっている第２期間において、前記第１画像調整素子は、当該第２画像調整素子が前記比較処理において使用するための前記第１調整後画像データを取得するための前記画像調整処理を行ない、
前記第１期間および前記第２期間は、互いに重ならない期間である、
請求項１２に記載の表示装置。
【請求項１４】
前記表示装置が前記画像調整処理を行なっていない期間において、当該表示装置は、前記比較処理を行なう、
請求項１から１３のいずれか１項に記載の表示装置。
【発明の詳細な説明】
【技術分野】
【０００１】
本発明は、画像データの調整を行う表示装置に関する。
【背景技術】
【０００２】
一般に、液晶表示装置は、液晶パネルと、回路基板と、フレキシブルプリント回路基板（Flexible printed circuit；ＦＰＣ）とを備える。ＦＰＣは、液晶パネルと回路基板とを接続する部材である。
【０００３】
液晶パネルは、画素領域と、ゲートドライバＩＣ（Integrated Circuit）と、ソースドライバＩＣ（以下、「Ｓ−ＩＣ」とも表記する）とを備える。ゲートドライバＩＣは、画素領域の外周領域において、縦軸に沿って配置される。ソースドライバＩＣは、画素領域の外周領域において、横軸に沿って配置される。ゲートドライバＩＣは、画素の薄膜トランジスタ（Thin Film Transistor；ＴＦＴ）のＯＮ／ＯＦＦ制御を行う。
【０００４】
回路基板は、タイミングコントローラ（以下、「ＴＣＯＮ」ともいう）と、ＲＯＭと、インターフェースコネクタと、電源回路と、階調参照電圧生成回路とを備える。ＲＯＭには、設定値が保存されている。ＴＣＯＮは、受信した画像データに対して、画像調整処理を行う。画像調整処理は、コントラスト調整処理と、明るさ調整処理と、ガンマ調整処理とを含む。ＴＣＯＮは、調整後のデータをソースドライバに出力する場合もある。
【０００５】
液晶表示装置は、ＴＶ、ＰＣ用ディスプレイ、携帯電話等に用いられるだけではなく、車載機器、産業機器等にも用いられている。車載機器、産業機器等には、ＩＳＯ２６２６２、ＩＥＣ６１５０８等の安全に関する規格が制定されている。これらの製品において、液晶表示装置が用いられる場合、液晶表示装置にも安全に対する要求が生じる。
【０００６】
例えば、車載機器のミラーの代替として、液晶表示装置が用いられる場合、液晶表示装置の表示画像に残像が生じることを避ける必要がある。液晶表示装置では、液晶を駆動させるソースドライバＩＣおよびゲートドライバＩＣ、タイミングコントローラＩＣ等が問題なく動作しているかを監視する必要がある。
【０００７】
また、液晶表示装置等の表示装置では、巡回冗長検査（ＣＲＣ）により、表示の対象となる画像データに異常がないことを確認している。特許文献１では、巡回冗長検査（ＣＲＣ）を使用して、表示の対象となる画像データが正常であるか否かを確認する構成（以下、「関連構成Ａ」ともいう）が開示されている。
【先行技術文献】
【特許文献】
【０００８】
【特許文献１】特許第５６７０１１７号公報
【発明の概要】
【発明が解決しようとする課題】
【０００９】
なお、関連構成Ａでは、画像調整処理（例えば、画質調整）が行われる前の画像データに対し、巡回冗長検査が行なわれる。そのため、関連構成Ａでは、画像データに対し、画像調整処理が正常に行なわれたか否かを確認できない。すなわち、関連構成Ａでは、画像データに対し、画像調整処理が正常に行なわれていないことを検出できないという問題がある。
【００１０】
本発明は、このような問題を解決するためになされたものであり、画像調整処理が正常に行なわれていないことを検出可能な表示装置を提供することを目的とする。
【課題を解決するための手段】
【００１１】
上記目的を達成するために、本発明の一態様に係る表示装置は、画像データの調整を行う画像調整処理を行う複数の画像調整素子を備え、各前記画像調整素子が、処理対象の前記画像データに対し前記画像調整処理を行なうことにより、当該画像調整素子は、調整後の当該画像データである調整後画像データを取得し、前記複数の画像調整素子は、第１画像調整素子および第２画像調整素子を含み、前記表示装置は、前記第１画像調整素子が前記画像調整処理を行なうことにより当該第１画像調整素子が取得した前記調整後画像データである第１調整後画像データと、前記第２画像調整素子が当該画像調整処理を行なうことにより当該第２画像調整素子が取得した前記調整後画像データである第２調整後画像データとを比較する比較処理を行う。
【発明の効果】
【００１２】
本発明によれば、各画像調整素子が、処理対象の画像データに対し画像調整処理を行なうことにより、当該画像調整素子は、調整後の当該画像データである調整後画像データを取得する。
【００１３】
表示装置は、第１調整後画像データと第２調整後画像データとを比較する比較処理を行う。第１調整後画像データは、第１画像調整素子が処理対象の前記画像データに対し前記画像調整処理を行なうことにより当該第１画像調整素子が取得した前記調整後画像データである。また、第２調整後画像データは、第２画像調整素子が前記処理対象の画像データに対し当該画像調整処理を行なうことにより当該第２画像調整素子が取得した前記調整後画像データである。
【００１４】
なお、第１画像調整素子および第２画像調整素子の両方により、前記画像調整処理が正常に行なわれた場合、前記第１調整後画像データと前記第２調整後画像データとは一致する。一方、前記第１画像調整素子および前記第２画像調整素子の両方または一方により、前記画像調整処理が正常に行なわれていない場合、前記第１調整後画像データと前記第２調整後画像データとは一致しない。
【００１５】
したがって、前記表示装置が前記比較処理を行なうことにより、画像調整処理が正常に行なわれていないことを検出できる。
【図面の簡単な説明】
【００１６】
【図１】実施の形態１に係る表示装置の構成を概略的に示す図である。
【図２】実施の形態１に係る表示装置の別の構成を概略的に示す図である。
【図３】実施の形態１に係る表示装置における回路構成を概略的に示す図である。
【図４】変形構成ｍ１が適用された表示装置の構成を示す図である。
【図５】実施の形態１に係るソースドライバＩＣの画像調整に関する構成を示す図である。
【図６】実施の形態１に係る画像調整部の構成を示す図である。
【図７】ガンマ調整処理を説明するための図である。
【図８】ガンマ調整処理を説明するための図である。
【図９】画像を表示するための画素領域を示す図である。
【図１０】実施の形態１に係る比較処理を説明するためのタイミングチャートである。
【図１１】変形例２に係る比較処理を説明するためのタイミングチャートである。
【図１２】変形例３に係る比較処理を説明するためのタイミングチャートである。
【図１３】変形例３に係る表示装置の構成を示す図である。
【図１４】変形例４に係る表示装置の構成を示す図である。
【図１５】変形例５に係る表示装置の一部の構成を示す図である。
【図１６】変形例５における、変形構成ｍ２が適用された表示装置の一部の構成を示す図である。
【図１７】変形例５における、変形構成ｍ３が適用された表示装置の一部の構成を示す図である。
【図１８】表示装置の特徴的な機能構成を示すブロック図である。
【発明を実施するための形態】
【００１７】
以下、図面を参照しつつ、実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１８】
＜実施の形態１＞
以下、本実施の形態に関する表示装置について説明する。図１は、実施の形態１に係る表示装置１００の構成を概略的に示す図である。表示装置１００は、例えば、液晶表示装置である。なお、表示装置１００は、液晶表示装置に限定されない。表示装置１００は、例えば、有機ＥＬ（Electro-Luminescence）ディスプレイであってもよい。
【００１９】
図１を参照して、表示装置１００は、表示パネルＰ１と、回路基板２と、ＦＰＣ３ａ，３ｂとを備える。ＦＰＣは、フレキシブルプリント回路基板の略称である。表示パネルＰ１は、例えば、液晶パネルである。ＦＰＣ３ａ，３ｂは、並列に設けられる。ＦＰＣ３ａ，３ｂは、表示パネルＰ１と回路基板２とを接続する。なお、回路基板２およびＦＰＣ３ａ，３ｂが、１枚のＦＰＣとして構成されてもよい。当該構成では、回路基板２は、ＦＰＣで構成される。
【００２０】
表示パネルＰ１は、画素領域４と、ゲートドライバＩＣ５と、ソースドライバＩＣ６ａ，６ｂとを含む。画素領域４は、画像を表示するための領域である。表示パネルＰ１は、画素領域４に画像を表示する。ゲートドライバＩＣ５は、画素領域４の外周領域において、縦軸に沿って配置される。ソースドライバＩＣ６ａ，６ｂは、画素領域４の外周領域において、横軸に沿って配置される。
【００２１】
以下においては、ソースドライバＩＣを、「Ｓ−ＩＣ」とも表記する。ソースドライバＩＣ６ａ，６ｂの各々は、ソースドライブ機能およびタイミングコントローラ（ＴＣＯＮ）機能の両方を含む。すなわち、ソースドライバＩＣ６ａ，６ｂの各々は、ソースドライブ機能およびＴＣＯＮ機能が一体化されたＩＣである。ソースドライバＩＣ６ａ，６ｂの各々は、さらに、電源回路、メモリ等を含む。ゲートドライバＩＣ５は、画素に設けられたＴＦＴのＯＮ／ＯＦＦ制御を行う。
【００２２】
ＦＰＣ３ａ，３ｂは、それぞれ、ソースドライバＩＣ６ａ，６ｂと対応する位置に設けられる。上記の位置において、ＦＰＣ３ａ，３ｂは、表示パネルＰ１と回路基板２とを接続する。
【００２３】
回路基板２はインターフェースコネクタ７を含む。また、回路基板２には、コンデンサ等の電子部品（図示せず）が実装されている。インターフェースコネクタ７には、外部ユニット（外部装置）が接続されている。回路基板２は、外部ユニットから、インターフェースコネクタ７を介して、各種の信号（例えば、画像信号）を受信する。回路基板２は、受信した信号を、ＦＰＣ３ａ，３ｂを介して、ソースドライバＩＣ６ａ，６ｂへ送信する。
【００２４】
また、回路基板２は、ソースドライバＩＣ６ａ，６ｂから送信された信号を、インターフェースコネクタ７を介して、外部ユニットへ出力する。
【００２５】
なお、ソースドライバＩＣの数、ＦＰＣの数、及び、ゲートドライバＩＣの数は、図１に示される数に限定されない。例えば、ソースドライバＩＣの数は４であってもよい。また、１個のＦＰＣにより、回路基板とソースドライバＩＣが接続されてもよい。また、ゲートドライバＩＣの数は、２であってもよい。
【００２６】
また、ＦＰＣにソースドライバＩＣまたはゲートドライバＩＣが配置されてもよい。例えば、図２のように、ソースドライバＩＣ６ａは、ＦＰＣ３ａに配置されてもよい。また、ソースドライバＩＣ６ｂは、ＦＰＣ３ｂに配置されてもよい。
【００２７】
また、図２のように、表示装置１００は、さらに、ＦＰＣ３ｃおよび回路基板２ｃを備えてもよい。この場合、ゲートドライバＩＣ５は、ＦＰＣ３ｃに配置されてもよい。当該ＦＰＣ３ｃは、例えば、回路基板２ｃに接続される。また、回路基板２ｃには、外部ユニット（外部装置）を接続するためのインターフェースコネクタ７ｃが設けられてもよい。
【００２８】
図３は、実施の形態１に係る表示装置１００における回路構成を概略的に示す図である。図３を参照して、ソースドライバＩＣ６ａは、電源回路Ｐｗａと、ソースドライブ１０１ａと、タイミングコントローラ１０２ａとを含む。ソースドライバＩＣ６ｂは、電源回路Ｐｗｂと、ソースドライブ１０１ｂと、タイミングコントローラ１０２ｂとを含む。
【００２９】
電源回路Ｐｗａ，Ｐｗｂの各々は、ソースドライバＩＣ６ａおよびソースドライバＩＣ６ｂの両方または一方で使用される電圧を供給する。電源回路Ｐｗａ，Ｐｗｂの各々は、コモン電圧Ｖｃ、アナログ基準電圧Ｖｒおよび階調電圧Ｖｇを供給する。
【００３０】
コモン電圧Ｖｃは表示パネルＰ１に含まれる対向電極（図示せず）の電圧として使用される。アナログ基準電圧Ｖｒは、ソースドライブ１０１ａ，１０１ｂの各々がアナログ基準電圧として使用するための電圧である。
【００３１】
なお、図３に示されるアナログ基準電圧Ｖｒの種類の数は１であるがこれに限定されない。アナログ基準電圧Ｖｒの種類の数は、２であってもよい。この場合、電源回路（例えば、電源回路Ｐｗａ）は、例えば、正極および負極のアナログ基準電圧Ｖｒを供給してもよい。
【００３２】
電源回路（例えば、電源回路Ｐｗａ）が供給するコモン電圧Ｖｃは、回路基板２を経由して、ソースドライバＩＣ（例えば、ソースドライバＩＣ６ａ）へ供給される。電源回路（例えば、電源回路Ｐｗａ）が供給するアナログ基準電圧Ｖｒは、回路基板２を経由して、ソースドライバＩＣ（例えば、ソースドライバＩＣ６ａ）へ供給される。
【００３３】
階調電圧Ｖｇは、画像データに対しＤ／Ａ変換が行われる際に参照される電圧である。階調電圧Ｖｇは、複数の電圧レベルを有する。
【００３４】
また、電源回路Ｐｗａは、ゲードドライブ電圧Ｖｇｄを供給する。ゲードドライブ電圧Ｖｇｄは、ゲートドライバＩＣ５用の電圧である。ゲードドライブ電圧Ｖｇｄは、プラス電圧およびマイナス電圧で表現される。プラス電圧は、画素のＴＦＴがＯＮ状態である場合、Ｈｉｇｈレベルを示す電圧である。また、マイナス電圧は、画素のＴＦＴがＯＦＦ状態である場合、Ｌｏｗレベルを示す電圧である。ゲードドライブ電圧Ｖｇｄは、回路基板２を経由して、ゲートドライバＩＣ５へ供給される。
【００３５】
なお、図３は、ソースドライバＩＣ６ａ，６ｂにのみ電源回路が存在する構成を示すが、当該構成に限定されない。例えば、コイル、コンデンサ等で使用される電圧の生成に必要な部品が回路基板２に設けられてもよい。
【００３６】
また、図３では、ゲードドライブ電圧ＶｇｄをゲートドライバＩＣ５へ供給する電源回路は、ソースドライバＩＣ６ａの電源回路Ｐｗａであるが、これに限定されない。ソースドライバＩＣ６ｂの電源回路Ｐｗｂが、ゲードドライブ電圧ＶｇｄをゲートドライバＩＣ５へ供給してもよい。また、ゲードドライブ電圧Ｖｇｄは、回路基板２および別のＦＰＣを経由して、ゲートドライバＩＣ５へ供給されても良い。
【００３７】
なお、ソースドライバＩＣ６ａ，６ｂは、同じ画像信号Ｐｓを受信する。すなわち、タイミングコントローラ１０２ａ，１０２ｂは、当該同じ画像信号Ｐｓを受信する。
【００３８】
タイミングコントローラ１０２ａは、画像信号Ｐｓに基づいた後述の画像データＧｄａを、ソースドライブ１０１ａへ送信する。また、タイミングコントローラ１０２ｂは、画像信号Ｐｓに基づいた後述の画像データＧｄａを、ソースドライブ１０１ｂへ送信する。
【００３９】
タイミングコントローラ１０２ａは、水平スタートパルスＳＴＨを、ソースドライブ１０１ａへ送信する。ソースドライブ１０１ａは、受信した水平スタートパルスＳＴＨを、へソースドライブ１０１ｂへ送信する。
【００４０】
なお、本実施の形態では、ソースドライバＩＣ６ａがマスターとして動作する。また、ソースドライバＩＣ６ｂがスレーブとして動作する。そのため、マスターであるソースドライバＩＣ６ａは、垂直スタートパルスＳＴＶをゲートドライバＩＣ５へ送信する。具体的には、タイミングコントローラ１０２ａが、垂直スタートパルスＳＴＶをゲートドライバＩＣ５へ送信する。
【００４１】
また、タイミングコントローラ１０２ａは、シフトクロック信号ＣＬＫＶ、出力制御信号ＯＥ（Ｏｕｔｐｕｔ  Ｅｎａｂｌｅ）、スキャン切替論理信号ＵＤを、ゲートドライバＩＣ５へ送信する。スキャン切替論理信号ＵＤは、垂直方向のスキャンの切替へに使用される。
【００４２】
また、タイミングコントローラ１０２ａは、水平方向スキャン切替論理信号ＬＲ、液晶印加極性切替信号ＰＯＬおよび制御信号ＬＰを、ソースドライブ１０１ａ，１０１ｂへ送信する。制御信号ＬＰは、ソースドライバ機能の内部ラッチ、および、出力タイミングを制御するための信号である。
【００４３】
なお、表示装置１００における回路構成は、図３に示される回路構成に限定されない。例えば、ソースドライバＩＣの数、ＦＰＣの数、ゲートドライバＩＣの数等は、図３に示される数に限定されない。例えば、表示装置１００に含まれるソースドライバＩＣの数は、３以上であってもよい。
【００４４】
また、例えば、電源回路を、回路基板２に設ける構成（以下、「変形構成ｍ１」ともいう）としてもよい。図４は、変形構成ｍ１が適用された表示装置１００の構成を示す図である。変形構成ｍ１では、回路基板２に電源回路Ｐｗｃが設けられる。電源回路Ｐｗｃは、コモン電圧Ｖｃおよびアナログ基準電圧Ｖｒを、ソースドライバＩＣ６ａ，６ｂへ供給する。また、変形構成ｍ１では、電源回路Ｐｗｃは、ゲードドライブ電圧Ｖｇｄを、ゲートドライバＩＣ５へ供給する。
【００４５】
また、変形構成ｍ１では、タイミングコントローラ１０２ａは、水平スタートパルスＳＴＨを、ソースドライブ１０１ａへ送信する。また、タイミングコントローラ１０２ｂは、水平スタートパルスＳＴＨを、ソースドライブ１０１ｂへ送信する。
【００４６】
また、タイミングコントローラ１０２ａ，１０２ｂの各々は、表示装置１００における、各種の異常を検出する機能を有する。当該異常は、例えば、電源回路が供給する電圧の異常である。また、当該異常は、例えば、ソースドライブ１０１ａ、ソースドライブ１０１ｂ、ゲートドライバＩＣ５等が正常に動作していないという異常である。異常が検出された場合、タイミングコントローラ１０２ａ，１０２ｂは、それぞれ、異常信号Ｅａ，Ｅｂを出力する。
【００４７】
なお、異常信号Ｅａ，Ｅｂは、回路基板２に設けられた回路により、１つの信号に変換され、当該１つの信号がインターフェースコネクタ７から出力されてもよい。
【００４８】
また、ソースドライバＩＣ６ａ，６ｂの各々は、画像調整機能を有する画像調整素子である。具体的には、タイミングコントローラ１０２ａ，１０２ｂの各々は、画像調整機能を有する。ソースドライバＩＣ６ａ，６ｂの各々は、画像調整処理を行う。具体的には、タイミングコントローラ１０２ａ，１０２ｂの各々は、画像調整処理を行う。詳細は後述するが、画像調整処理は、画像信号Ｐｓに含まれる画像データの調整を行う画像処理である。
【００４９】
次に、画像データが示す画像について説明する。表示装置１００（表示パネルＰ１）は、画像を表示する。当該画像は、複数の画素で構成される。以下においては、画像のサイズを、「ｕ×ｖ画素」と表現する。「ｕ」および「ｖ」の各々は自然数である。「ｕ」は、画像の水平方向の画素の数である。「ｖ」は、画像の垂直方向の画素の数である。
【００５０】
また、以下においては、赤、緑および青を、それぞれ、「Ｒ」、「Ｇ」および「Ｂ」ともいう。表示パネルＰ１の画素領域４のサイズが１９２０×１０８０画素である場合、画像は、２０７万３６００個（１９２０×１０８０）の画素で構成される。
【００５１】
また、画素の色は、Ｒ色、Ｇ色およびＢ色で表現される。画像を構成する複数の画素の各々は、Ｒ，Ｇ，Ｂの色成分毎に、例えば、８ビットで表現される。この場合、各画素は、０から２５５の範囲の階調値（デジタル値）で表現される。
【００５２】
以下においては、画素のＲ成分の階調値を、「階調値Ｒｖ」ともいう。また、以下においては、画素のＧ成分の階調値を、「階調値Ｇｖ」ともいう。また、以下においては、画素のＢ成分の階調値を、「階調値Ｂｖ」ともいう。画像を構成する複数の画素の各々は、階調値Ｒｖ，Ｇｖ，Ｂｖで表現される。なお、画素は、Ｒ色、Ｇ色およびＢ色と、Ｗ（白色）とにより表現されてもよい。
【００５３】
以下においては、画像信号Ｐｓに含まれる画像データを、「画像データＧｄ」ともいう。また、以下においては、画像データＧｄが示す画像を、「画像Ｇ１」ともいう。
【００５４】
次に、ソースドライバＩＣ６ａ，６ｂにおける画像調整に関する構成について説明する。図５は、実施の形態１に係るソースドライバＩＣ６ａ，６ｂの画像調整に関する構成を示す図である。図５は、タイミングコントローラ１０２ａ，１０２ｂの構成を主に示す。まず、タイミングコントローラ１０２ａについて説明する。
【００５５】
図５を参照して、タイミングコントローラ１０２ａは、受信部１１と、画像調整部６０と、画像データメモリＭ１と、設置値メモリ４０と、比較部３０と、異常検出部２０と、ＣＲＣ部１０とを含む。
【００５６】
画像データメモリＭ１は、ＦＩＦＯ（First-in First-out）形式のメモリである。すなわち、画像データメモリＭ１は、画像データが当該画像データメモリＭ１に格納された順番で、画像データを順次出力するメモリである。
【００５７】
異常検出部２０は、レジスタＲ１を含む。レジスタＲ１は、情報（例えば、数値）を格納するためのレジスタである。外部装置が表示装置１００の外部からレジスタＲ１にアクセス可能なように、当該レジスタＲ１は構成されている。レジスタＲ１へのアクセスには、例えば、ＳＰＩ通信が使用される。
【００５８】
受信部１１は、画像信号Ｐｓを受信する。受信部１１は、画像信号Ｐｓを、ＣＲＣ１０および画像調整部６０へ送信する。
【００５９】
なお、画像信号Ｐｓは、ノイズ、ＦＰＣ３ａ，３ｂにおける断線等の発生により、意図しない画像信号になる場合がある。この場合、表示装置１００は、意図しない画像を表示する。
【００６０】
この問題を抑制するために、巡回冗長検査（ＣＲＣ）を用いる手法が知られている。当該手法は、前述の関連構成Ａにおいて使用されている手法である。
【００６１】
ＣＲＣでは、以下の処理が行われる。まず、送信側装置および受信側装置において、あらかじめ多項式Ａを決めておく。送信側装置は、送信データＢを多項式Ａで除算して得られた値Ｃを算出する。そして、送信側装置は、値Ｃを当該送信データＢに付加し、当該送信データＢを受信側装置へ送信する。
【００６２】
例えば、元の送信データが８ビットで構成され、かつ、多項式Ａが５ビットで構成される場合、値Ｃは４ビットで構成される。したがって、送信されるデータの０ビット目から３ビット目までは、除算により得られる余りの値である。また、送信されるデータの４ビット目から１１ビット目は、元の送信データである。
【００６３】
ここで、受信側装置が１２ビットのデータを受信したと仮定する。この場合、受信側装置は、１２ビットのデータを多項式Ａで除算して得られた余りが、受信したデータの０ビット目から３ビット目で構成される数字に一致するか否かを確認する。一致する場合、受信側装置は、正常にデータを受信していると判断する。この場合、受信側装置は、受信データの４ビット目から１１ビット目までを、画像データとして使用する。
【００６４】
タイミングコントローラ１０２ａ，１０２ｂの各々のＣＲＣ部１０は、受信した画像信号Ｐｓに対してＣＲＣを行う。これにより、タイミングコントローラ１０２ａ，１０２ｂの各々は、受信した画像信号Ｐｓに含まれる画像データが、正常な（意図した）画像データであるか否かを確認できる。
【００６５】
画像調整部６０は、画像調整処理を行なう。画像調整処理は、コントラスト調整処理と、明るさ調整処理と、ガンマ調整処理とを含む。
【００６６】
図６は、実施の形態１に係る画像調整部６０の構成を示す図である。画像調整部６０は、コントラスト調整部６１と、明るさ調整部６２と、ガンマ調整部６３とを含む。画像調整部６０に含まれる各構成要素が行なう処理は後述する。
【００６７】
再び、図５を参照して、設置値メモリ４０には、画像調整処理において使用される各種のパラメータ値が格納されている。設置値メモリ４０は、不揮発性メモリまたは揮発性メモリである。
【００６８】
なお、タイミングコントローラ１０２ａの構成は、タイミングコントローラ１０２ｂの構成と同じである。そこで、タイミングコントローラ１０２ａ，１０２ｂの各々が備える構成要素を区別するために、以下のように、符号を定義する。
【００６９】
まず、タイミングコントローラ１０２ａが備える各構成要素の符号に、接尾記号「ａ」を追記した符号を有する当該構成要素を、タイミングコントローラ１０２ａの構成要素とする。例えば、タイミングコントローラ１０２ａの受信部１１の符号「１１」に「ａ」が追記された符号「１１ａ」で特定される受信部の符号は、「１１ａ」である。
【００７０】
そのため、図５のように、タイミングコントローラ１０２ａは、受信部１１ａと、画像調整部６０ａと、画像データメモリＭ１ａと、設置値メモリ４０ａと、比較部３０ａと、異常検出部２０ａと、ＣＲＣ部１０ａとを含む。
【００７１】
また、タイミングコントローラ１０２ｂが備える各構成要素の符号に、接尾記号「ｂ」を追記した符号を有する当該構成要素を、タイミングコントローラ１０２ｂの構成要素とする。そのため、図５のように、タイミングコントローラ１０２ｂは、受信部１１ｂと、画像調整部６０ｂと、画像データメモリＭ１ｂと、設置値メモリ４０ｂと、比較部３０ｂと、異常検出部２０ｂと、ＣＲＣ部１０ｂとを含む。
【００７２】
次に、タイミングコントローラ１０２ａ（画像調整部６０）が行なう画像調整処理について説明する。画像調整処理は、画像信号Ｐｓに含まれる画像データＧｄに対して行なわれる。すなわち、画像調整処理は、画像データＧｄが示す画像Ｇ１に対して行なわれる。
【００７３】
画像調整処理では、コントラスト調整部６１が、コントラスト調整処理を行なう。コントラスト調整処理は、画像のコントラストを調整する一般的な画像処理である。コントラスト調整処理では、画像の明るい部分と、当該画像の暗い部分との対比が調整される。
【００７４】
コントラストを強くする場合のコントラスト調整処理は、明るい部分をより明るくし、かつ、暗い部分をより暗くする処理である。コントラストを弱くする場合のコントラスト調整処理は、明るい部分を暗くし、かつ、暗い部分を明るくする処理である。
【００７５】
例えば、入力データが２５５階調で表現され、かつ、中間値が１２７であると仮定する。この場合、例えば、「出力データ＝１２７＋（入力データ−１２７）×（任意の倍率）」で表現される式により、データが設定される。中間値、倍率等を設定することにより、画像のコントラストの強さを調整することができる。
【００７６】
画像のコントラストを強める場合、倍率が１以上に設定される。これにより、中間値から値が離れるほど調整量が大きくなる。そのため、画像の明るい部分と、画像の暗い部分との対比が大きくなる。
【００７７】
なお、コントラスト調整処理では、設置値メモリ４０に格納されているパラメータ値が使用される。当該パラメータ値は、例えば、上記の任意の倍率である。
【００７８】
次に、明るさ調整部６２が、明るさ調整処理を行なう。明るさ調整処理は、画像の明るさを調整する一般的な画像処理である。明るさ調整処理では、例えば、「出力データ＝入力データ＋任意の調整値」で表現される式により、出力データが調整される。入力データに対して、任意の調整値の加算、または、任意の調整値の減算を行なうことにより、出力データの明るさが調整される。
【００７９】
なお、明るさ調整処理では、設置値メモリ４０に格納されているパラメータ値が使用される。当該パラメータ値は、例えば、上記の任意の調整値である。
【００８０】
次に、ガンマ調整部６３が、ガンマ調整処理を行なう。ガンマ調整処理は、画像に対しガンマ調整を行う一般的な画像処理である。ガンマ調整処理では、表示装置１００が表示する画像の発色の強さが、入力データの値に比例するように、入力データ（画像データ）が調整される。
【００８１】
ガンマ調整処理について、図７を用いて説明する。図７の横軸は、画像信号の入力データの値である。図７の縦軸は、ガンマ調整後の出力データの値、又は、発色の強さを示している。図７の特性線Ｌ１ａのように、液晶表示装置では、通常、入力データと発色の強さは比例していない。
【００８２】
ガンマ調整処理では、Ｙ＝Ｘγで表現される式が使用される。Ｘは入力データであり、Ｙは画像データであり、γはガンマ調整値である。ガンマ調整処理では、上記の式のガンマ調整値が２．２となるように調整されている。
【００８３】
ガンマ調整処理では、ガンマ調整部６３が、ガンマ調整値（１／２．２）を使用して、入力データを調整し、調整後のデータを出力する（図７の特性線Ｌ１ｂ参照）。その結果、入力データと発色の強さの関係は比例することになる（図７の特性線Ｌ１ｃ参照）。
【００８４】
図８は、ガンマ調整値が１／３である場合における特性線を示す図である。ガンマ調整値が１／３である場合、ガンマ調整値２．２の結果（図８の特性線Ｌ１ｃ）と比較して、やや発色が強い（図８の特性線Ｌ２ｃ参照）。これにより、表示される画像を全体的に明るくすることができる。
【００８５】
なお、ガンマ調整処理では、設置値メモリ４０に格納されているパラメータ値が使用される。当該パラメータ値は、例えば、上記のガンマ調整値である。
【００８６】
上記の画像調整処理が、画像信号Ｐｓに含まれる画像データＧｄに対して行なわれる。すなわち、画像調整処理は、画像データＧｄが示す画像Ｇ１に対して行なわれる。そのため、画像データＧｄ（画像Ｇ１）に対し、例えば、コントラスト調整処理、明るさ調整処理およびガンマ調整処理が行われる。
【００８７】
なお、タイミングコントローラ１０２ｂ（画像調整部６０）が行なう画像調整処理は、タイミングコントローラ１０２ａの画像調整部６０が行なう前述した画像調整処理と同様である。
【００８８】
以下においては、画像データＧｄ（画像Ｇ１）に対し、画像調整処理が行なわれることにより、変化した画像Ｇ１を、「画像Ｇ１ａ」ともいう。また、以下においては、画像Ｇ１ａを示すデータを、「画像データＧｄａ」ともいう。
【００８９】
画像データＧｄａは、画像調整処理の実行により得られる調整後の画像データ（以下、「調整後画像データ」ともいう）である。すなわち、調整後画像データは、処理対象の画像データＧｄに対し画像調整処理が行なわれることにより得られるデータである。
【００９０】
ソースドライバＩＣ６ａ（画像調整部６０ａ）が、処理対象の画像データＧｄに対し画像調整処理を行なうことにより、当該ソースドライバＩＣ６ａは、調整後画像データを取得する。また、ソースドライバＩＣ６ｂ（画像調整部６０ｂ）が、処理対象の画像データＧｄに対し画像調整処理を行なうことにより、当該ソースドライバＩＣ６ｂは、調整後画像データを取得する。
【００９１】
なお、上記では、ガンマ調整値により、画像の調整を行う処理を示した。これに対し、入力データに対して、任意の出力データを設定する処理を行なってもよい。当該処理では、例えば、入力データが０である場合、出力データは０に設定される。また、当該処理では、例えば、入力データが１である場合、出力データは２に設定される。これにより、より細かな画像調整が可能となる。
【００９２】
なお、コントラスト調整処理、明るさ調整処理およびガンマ調整処理の内容は、上記の内容以外の内容であってもよい。また、画像調整処理では、コントラスト調整処理、明るさ調整処理およびガンマ調整処理の一部のみが行なわれてもよい。画像調整処理では、例えば、コントラスト調整処理および明るさ調整処理のみが行なわれてもよい。
【００９３】
また、画像調整処理において行われる処理は、コントラスト調整処理、明るさ調整処理およびガンマ調整処理に限定されない。画像調整処理において行われる処理は、コントラスト調整処理、明るさ調整処理およびガンマ調整処理以外の画像処理であってもよい。また、画像調整処理で行われる、コントラスト調整処理、明るさ調整処理およびガンマ調整処理の実行順序は、前述した順序と異なってもよい。
【００９４】
なお、画像調整部６０は、画像調整処理を行なうことにより、調整後画像データである画像データＧｄａを取得する。画像調整部６０は、取得した画像データＧｄａを、画像データメモリＭ１に格納する。なお、画像データメモリＭ１に格納された画像データＧｄａは、ソースドライブ１０１ａおよび比較部３０へ送信される。
【００９５】
上記のように、タイミングコントローラ１０２ａ（画像調整部６０）は、画像信号Ｐｓに含まれる画像データＧｄに対して画像調整処理を行なう。そのため、画像信号Ｐｓに含まれる画像データＧｄと、調整後画像データとしての画像データＧｄａは異なる。
【００９６】
前述したように、画像調整処理において使用される各種のパラメータ値は、設置値メモリ４０に格納されている。そのため、以下の状況が発生した場合、意図しない画像調整が行われ、表示装置１００が表示する画像は、意図しない画像となる。
【００９７】
当該状況は、例えば、設置値メモリ４０にパラメータ値が格納される際に誤ったデータが格納されるという状況である。また、当該状況は、例えば、ノイズ等の影響により、パラメータ値が変化するという状況である。また、当該状況は、例えば、タイミングコントローラ１０２ａの画像調整部６０が故障し、当該画像調整部６０が正常に動作しないという状況である。
【００９８】
以上のように、画像調整処理を行なう表示装置１００において、意図した調整後画像データ（画像データＧｄａ）が得られているか否かを確認する必要がある。そこで、画像調整処理が行なわれる状況において、異常を検出するための処理（以下、「異常検出処理」ともいう）について説明する。
【００９９】
ここで、ソースドライバＩＣ６ａ，６ｂの制御について説明する。図９は、画像を表示するための画素領域４を示す図である。画素領域４のサイズは、例えば、１９２０×１０８０画素である。画素領域４は、領域４ａ，４ｂを含む。領域４ａは、ソースドライバＩＣ６ａ（ソースドライブ１０１ａ）が制御する領域である。領域４ｂは、ソースドライバＩＣ６ｂ（ソースドライブ１０１ｂ）が制御する領域である。
【０１００】
ソースドライバＩＣ６ａ，６ｂの各々は、ソース電圧を制御する。具体的には、ソースドライブ１０１ａ，１０１ｂの各々は、ソース電圧を制御する。すなわち、ソースドライブ１０１ａ，１０１ｂの各々は、ソース制御部である。
【０１０１】
ソース電圧は、表示装置１００が前述の調整後画像データに基づいた画像を表示するための電圧である。画素領域４には、複数のソース線（図示せず）が設けられている。具体的には、ソース電圧は、各ソース線に印加される電圧である。
【０１０２】
ここで、画素の色は、Ｒ色、Ｇ色およびＢ色で表現される。そのため、ソースドライブ１０１ａ，１０１ｂの各々は、２８８０列のソース線（図示せず）に印加するソース電圧を制御する。２８８０は、「１９２０×３÷２」の式により算出される値である。
【０１０３】
上記の方法により、ソースドライバＩＣ６ａ（ソースドライブ１０１ａ）は、領域４ａを制御する。すなわち、ソースドライブ１０１ａは、画像の左半分を表示するための制御（ソース電圧の制御）を行う。また、上記の方法により、ソースドライバＩＣ６ｂ（ソースドライブ１０１ｂ）は、領域４ｂを制御する。すなわち、ソースドライブ１０１ｂは、画像の右半分を表示するための制御（ソース電圧の制御）を行う。
【０１０４】
次に、図１０を使用して、異常検出処理を説明する。図１０の縦軸には、各構成要素の符号が示されている。なお、図１０の「出力」とは、ソースドライバＩＣの出力（制御）に相当する。図１０の横軸は、時間を示す。以下においては、画像調整部６０が行う、表示のための前述の画像調整処理を、「表示用画像調整処理」ともいう。また、以下においては、画像調整部６０が行う、比較のための前述の画像調整処理を、「比較用画像調整処理」ともいう。
【０１０５】
表示用画像調整処理または比較用画像調整処理は、例えば、１ライン分の画像データＧｄを対象として行なわれる。表示用画像調整処理または比較用画像調整処理が行なわれる対象となる、１ライン分の画像データＧｄは同時に入力されるのではなく、順に入力される。
【０１０６】
なお、表示用画像調整処理または比較用画像調整処理が行なわれる対象は、１ライン分の画像データＧｄに限定されない。表示用画像調整処理または比較用画像調整処理が行なわれる対象は、例えば、全てのラインに対応する画像データＧｄであってもよい。
【０１０７】
本実施の形態では、一例として、ソースドライバＩＣ６ａ（画像調整部６０ａ）が表示用画像調整処理を行なった後、ソースドライバＩＣ６ｂ（画像調整部６０ｂ）が表示用画像調整処理を行う。
【０１０８】
画像調整部６０ａが表示用画像調整処理を行なうことにより、当該画像調整部６０ａは、調整後画像データ（以下、「調整後画像データＤ１ａ」ともいう）を取得する。すなわち、ソースドライバＩＣ６ａ（画像調整部６０ａ）が表示用画像調整処理を行なうことにより、当該ソースドライバＩＣ６ａは調整後画像データＤ１ａを取得する。つまり、調整後画像データＤ１ａは、ソースドライバＩＣ６ａ（画像調整部６０ａ）が画像調整処理を行なうことにより当該ソースドライバＩＣ６ａが取得した調整後画像データである。調整後画像データＤ１ａは、画像データＧｄａである。
【０１０９】
そして、画像調整部６０ａは、取得した調整後画像データＤ１ａを、画像データメモリＭ１ａに格納する（図５および図１０参照）。また、タイミングコントローラ１０２ａは、画像データメモリＭ１ａに格納された、画像データＧｄａとしての調整後画像データＤ１ａを、ソースドライブ１０１ａへ送信する。
【０１１０】
また、画像調整部６０ｂが表示用画像調整処理を行なうことにより、当該画像調整部６０ｂは、調整後画像データ（以下、「調整後画像データＤ１ｂ」ともいう）を取得する。すなわち、ソースドライバＩＣ６ｂ（画像調整部６０ｂ）が表示用画像調整処理を行なうことにより、当該ソースドライバＩＣ６ｂは調整後画像データＤ１ｂを取得する。調整後画像データＤ１ｂは、画像データＧｄａである。
【０１１１】
そして、画像調整部６０ｂは、取得した調整後画像データＤ１ｂを、画像データメモリＭ１ｂに格納する（図５および図１０参照）。また、タイミングコントローラ１０２ｂは、画像データメモリＭ１ｂに格納された、画像データＧｄａとしての調整後画像データＤ１ｂを、ソースドライブ１０１ｂへ送信する。
【０１１２】
以下においては、ソースドライバＩＣ６ａ（画像調整部６０ａ）が表示用画像調整処理を行なっている期間を、「期間Ｔ１ａ」または「Ｔ１ａ」ともいう。また、以下においては、ソースドライバＩＣ６ｂ（画像調整部６０ｂ）が表示用画像調整処理を行なっている期間を、「期間Ｔ１ｂ」または「Ｔ１ｂ」ともいう。期間Ｔ１ａおよび期間Ｔ１ｂは、互いに重ならない期間である。すなわち、期間Ｔ１ａおよび期間Ｔ１ｂは、時間軸において、互いに重複しない。
【０１１３】
期間Ｔ１ａにおいて、ソースドライバＩＣ６ｂ（画像調整部６０ｂ）は、調整後画像データを取得するための比較用画像調整処理を行なう。当該調整後画像データは、ソースドライバＩＣ６ａ（画像調整部６０ａ）が後述の比較処理Ａにおいて使用するための画像データである。
【０１１４】
画像調整部６０ｂが比較用画像調整処理を行なうことにより、当該画像調整部６０ｂは、調整後画像データ（以下、「調整後画像データＤ２ｂ」ともいう）を取得する。すなわち、調整後画像データＤ２ｂは、ソースドライバＩＣ６ｂ（画像調整部６０ｂ）が比較用画像調整処理を行なうことにより当該ソースドライバＩＣ６ｂが取得した調整後画像データである。調整後画像データＤ２ｂは、画像データＧｄａである。
【０１１５】
なお、調整後画像データＤ２ｂは、調整後画像データＤ１ｂと同じデータである。調整後画像データＤ１ｂ，Ｄ２ｂの各々は、送信先が異なるため、異なる符合が付されている。
【０１１６】
そして、画像調整部６０ｂは、取得した調整後画像データＤ２ｂを、画像データメモリＭ１ｂに格納する（図５および図１０参照）。ソースドライバＩＣ６ｂは、画像データメモリＭ１ｂに格納された調整後画像データＤ２ｂを、ソースドライバＩＣ６ａの比較部３０ａへ送信する。これにより、ソースドライバＩＣ６ａ（比較部３０ａ）は、調整後画像データＤ２ｂを、ソースドライバＩＣ６ｂから取得する。
【０１１７】
また、期間Ｔ１ｂにおいて、ソースドライバＩＣ６ａ（画像調整部６０ａ）は、調整後画像データを取得するための比較用画像調整処理を行なう。当該調整後画像データは、ソースドライバＩＣ６ｂ（画像調整部６０ｂ）が後述の比較処理Ａにおいて使用するための画像データである。
【０１１８】
画像調整部６０ａが比較用画像調整処理を行なうことにより、当該画像調整部６０ａは、調整後画像データ（以下、「調整後画像データＤ２ａ」ともいう）を取得する。調整後画像データＤ２ａは、画像データＧｄａである。
【０１１９】
なお、調整後画像データＤ２ａは、調整後画像データＤ１ａと同じデータである。調整後画像データＤ１ａ，Ｄ２ａの各々は、送信先が異なるため、異なる符合が付されている。
【０１２０】
そして、画像調整部６０ａは、取得した調整後画像データＤ２ａを、画像データメモリＭ１ａに格納する（図５および図１０参照）。ソースドライバＩＣ６ａは、画像データメモリＭ１ａに格納された調整後画像データＤ２ａを、ソースドライバＩＣ６ｂの比較部３０ｂへ送信する。これにより、ソースドライバＩＣ６ｂ（比較部３０ｂ）は、調整後画像データＤ２ａを、ソースドライバＩＣ６ａから取得する。
【０１２１】
なお、ソースドライバＩＣ６ａ，６ｂの間において調整後画像データを送受信するために、例えば、双方向信号または片方向信号が使用される。また、調整後画像データを送受信するために、シリアル信号またはパラレル信号が使用されてもよい。また、ノイズの影響を抑制するために、ＣＲＣ等の誤りエラー訂正が行なわれてもよい。
【０１２２】
ソースドライバＩＣ６ａ，６ｂ（画像調整部６０ａ，６０ｂ）は、画像信号Ｐｓに含まれる同じ画像データＧｄに対して、同じパラメータ値を使用して画像調整処理を行なう。そのため、パラメータ値が正常であり、画像調整処理が正常に行なわれた場合、調整後画像データＤ１ａ，Ｄ１ｂ，Ｄ２ａ，Ｄ２ｂは、同じデータになる。
【０１２３】
また、ソースドライバＩＣ６ａおよびソースドライバＩＣ６ｂの各々は、比較処理Ａを行う。具体的には、比較部３０ａおよび比較部３０ｂの各々が、比較処理Ａを行なう。
【０１２４】
ソースドライバＩＣ６ａの比較部３０ａは、調整後画像データＤ１ａと、調整後画像データＤ２ｂとを比較する比較処理Ａを行う。比較処理Ａにおいて比較される調整後画像データＤ１ａおよび調整後画像データＤ２ｂの各々は、同一の画像データＧｄに対し同一の画像調整処理が行なわれることにより得られたデータである。
【０１２５】
なお、画像データメモリＭ１ａ，Ｍ１ｂの各々には、順次、調整後画像データが格納される。そのため、比較部３０ａは、画像データメモリＭ１ａにおいて、格納された調整後画像データから、順次、比較処理Ａを行なう。
【０１２６】
比較処理Ａの結果が、調整後画像データＤ１ａと調整後画像データＤ２ｂとが一致しないという結果である場合、表示装置１００（比較部３０ａ）は、当該表示装置１００において異常が発生していると判定する。すなわち、比較部３０ａにより異常が検出される。この場合、比較部３０ａは、異常発生通知を、異常検出部２０ａへ送信する。異常発生通知とは、表示装置１００において異常が発生している旨を示す通知である。
【０１２７】
異常が発生していると判定された場合、表示装置１００は異常信号を出力する。具体的には、異常検出部２０ａが異常発生通知を受信した場合、当該異常検出部２０ａは異常信号Ｅａを出力する（図５参照）。また、異常検出部２０ａが異常発生通知を受信した場合、当該異常検出部２０ａ（表示装置１００）は、「１」をレジスタＲ１に格納する。「１」は、異常が発生している旨を示す情報である。なお、初期状態のレジスタＲ１には、「０」が格納されている。「０」は、異常が発生していない旨を示す情報である。
【０１２８】
前述したように、外部装置（図示せず）が表示装置１００の外部からレジスタＲ１にアクセス可能なように、当該レジスタＲ１は構成されている。レジスタＲ１へのアクセスには、例えば、ＳＰＩ通信が使用される。これにより、レジスタＲ１に格納されている値に基づいて、異常発生の有無を判断することができる。
【０１２９】
なお、レジスタＲ１へのアクセスには、ＳＰＩ通信以外の通信手段が使用されてもよい。また、レジスタＲ１には、異常検出時の画像データの値、異常検出回数等が格納されてもよい。異常信号を使用した構成、および、レジスタＲ１を使用した構成により、異常発生を検出可能である。なお、表示装置１００は、上記の２つの構成の一方のみを備えてもよい。
【０１３０】
なお、ソースドライバＩＣ６ｂにおいても、ソースドライバＩＣ６ａにおける上記の処理と同様な処理が行われる。以下、ソースドライバＩＣ６ｂにおける処理を簡単に説明する。例えば、ソースドライバＩＣ６ｂの比較部３０ｂは、調整後画像データＤ１ｂと調整後画像データＤ２ａとを比較する比較処理Ａを行う。
【０１３１】
比較処理Ａの結果が、調整後画像データＤ１ｂと調整後画像データＤ２ａとが一致しないという結果である場合、比較部３０ｂは、表示装置１００において異常が発生していると判定する。
【０１３２】
異常が発生していると判定された場合、異常検出部２０ｂは異常信号Ｅｂを出力する。また、異常が発生していると判定された場合、異常検出部２０ｂは、「１」をレジスタＲ１に格納する。以上の処理が、ソースドライバＩＣ６ｂにおける処理である。
【０１３３】
表示装置１００は、上記の比較処理Ａを繰り返し行う。すなわち、ソースドライバＩＣ６ａ，６ｂの各々は、比較処理Ａを繰り返し行う。具体的には、比較処理Ａは、画像データの１ライン目から最終ラインまでの全てのラインに対応する調整後画像データに対して、繰り返し行われる。
【０１３４】
以上説明したように、本実施の形態によれば、表示装置１００は、第１調整後画像データと第２調整後画像データとを比較する比較処理Ａを行う。第１調整後画像データは、ソースドライバＩＣ６ａが処理対象の画像データに対し画像調整処理を行なうことにより当該ソースドライバＩＣ６ａが取得した調整後画像データである。また、第２調整後画像データは、ソースドライバＩＣ６ｂが処理対象の画像データに対し画像調整処理を行なうことにより当該ソースドライバＩＣ６ｂが取得した調整後画像データである。
【０１３５】
なお、ソースドライバＩＣ６ａおよびソースドライバＩＣ６ｂの両方により、画像調整処理が正常に行なわれた場合、第１調整後画像データと第２調整後画像データとは一致する。一方、ソースドライバＩＣ６ａおよびソースドライバＩＣ６ｂの両方または一方により、画像調整処理が正常に行なわれていない場合、第１調整後画像データと第２調整後画像データとは一致しない。
【０１３６】
したがって、表示装置１００が比較処理Ａを行なうことにより、画像調整処理が正常に行なわれていないことを検出できる。すなわち、画像調整結果としての調整後画像データ（画像調整後の画像データ）の異常を検出することができる。
【０１３７】
なお、関連構成Ａでは、表示装置が、ＣＲＣ等により、受信した画像データに異常がないことを確認している。しかし、関連構成Ａでは、表示装置が、画像データに対し画像調整処理を行なう場合であって、かつ、以下の不具合Ａにより調整後の画像データに異常が発生した場合、当該異常を検出することができない。当該画像調整処理は、前述したコントラスト調整処理、明るさ調整処理、ガンマ調整処理等を含む。
【０１３８】
当該不具合Ａは、例えば、設定の誤りが存在するという不具合である。また、当該不具合Ａは、例えば、ノイズ等の影響により、画像調整処理に使用されるパラメータ値に異常が存在するという不具合である。また、当該不具合Ａは、例えば、表示装置内の回路が故障しているという不具合である。
【０１３９】
そのため、表示装置、または、当該表示装置を含むシステムは、表示される画像の異常を検出することができないため、使用者に誤った情報を提供する可能性があるという問題がある。
【０１４０】
そこで、本実施の形態の表示装置１００は、上記の効果を奏するための構成を有する。そのため、本実施の形態の表示装置１００により、上記の各問題を解決することができる。
【０１４１】
＜変形例１＞
本変形例は、実施の形態１に適用される。実施の形態１では、比較処理Ａの結果として、２つの調整後画像データが一致しないという結果が１回発生した場合、異常が発生していると判定したが、これに限定されない。以下においては、比較処理Ａの結果としての、２つの調整後画像データが一致しないという結果を、「不一致結果」ともいう。
【０１４２】
本変形例では、不一致結果が複数発生した場合、異常が発生していると判定される。具体的には、比較処理Ａが繰り返し行われることにより、比較対象の２つの調整後画像データが一致しないという結果が複数発生した場合、表示装置１００（比較部３０）は、当該表示装置１００において異常が発生していると判定する。
【０１４３】
例えば、ソースドライバＩＣ６ａの比較部３０ａが比較処理Ａを繰り返し行なったと仮定する。この場合、比較処理Ａの結果として、調整後画像データＤ１ａ，Ｄ２ｂが一致しないという不一致結果が所定回数発生した場合、比較部３０ａは、表示装置１００において異常が発生していると判定する。当該所定回数は、例えば、２回以上である。
【０１４４】
また、例えば、画像データの１ライン目から最終ラインまでの全てのラインに対応するデータが出力される期間において、不一致結果が複数発生した場合、比較部３０ａは、表示装置１００において異常が発生していると判定してもよい。なお、異常が発生していると判定された場合、例えば、表示装置１００（異常検出部２０ａ）は異常信号Ｅａを出力してもよい。
【０１４５】
＜変形例２＞
本変形例は、実施の形態１および変形例１の全てまたは一部に適用される。実施の形態１では、調整後画像データ（画像データ）の全体を比較の対象としている。この構成では、例えば、ソースドライバＩＣの消費電力の増大、ソースドライバＩＣの発熱等の問題が存在する。
【０１４６】
そこで、本変形例では、調整後画像データ（画像データ）の一部を比較の対象とする。例えば、ソースドライバＩＣ６ａの比較部３０ａは、調整後画像データＤ１ａの一部と、調整後画像データＤ２ｂの一部とを比較する比較処理Ａを行う。
【０１４７】
図１１は、本変形例におけるタイミングチャートの一例である。なお、図１１の各構成要素の符号は、図１０と同様であるので、説明は省略する。
【０１４８】
本変形例では、例えば、各ラインの先頭の画素に対応する、調整後画像データの一部が、比較の対象とされる。また、例えば、各ソースドライバＩＣの先頭の画素に対応する、調整後画像データの一部が、比較の対象とされる。また、例えば、画像データの全てのラインに対応する全ての調整後画像データのうち、１ライン目に対応する調整後画像データのみが、比較の対象とされる。
【０１４９】
ここで、表示装置１００のリフレッシュレートが６０Ｈｚであると仮定する。リフレッシュレートとは、画像の更新間隔に相当する。この場合、画像データの一部分を比較する方法でも、１６．６ミリ秒以内に異常を検出することができる。
【０１５０】
＜変形例３＞
本変形例は、実施の形態１、変形例１および変形例２の全てまたは一部に適用される。本変形例では、表示装置１００が画像調整処理を行なっていない期間において、当該表示装置は、比較処理Ａを行なう。例えば、ソースドライバＩＣ６ａ，６ｂの各々が、画像調整処理を行なっていない期間において、ソースドライバＩＣ６ａ，６ｂ（比較部３０ａ，３０ｂ）は、比較処理Ａを行なう。
【０１５１】
図１２は、変形例３に係る比較処理を説明するためのタイミングチャートである。なお、図１２の各構成要素の符号は、図１０と同様であるので、説明は省略する。本変形例では、例えば、ライン間において、比較処理Ａが行なわれる。ライン間とは、２つのラインにそれぞれ対応する２つの処理の間の期間に相当する。
【０１５２】
このように、表示装置１００が画像調整処理を行なっていない期間において、当該表示装置（比較部３０）は、比較処理Ａを行なう。これにより、表示装置１００の消費電力の低減、表示装置１００の発熱の低減等を実現することができる。
【０１５３】
なお、画像データメモリＭ１がＦＩＦＯ方式のメモリである場合、画像データは順次出力され、出力データは上書きされる。そのため、任意のタイミングで画像データを比較できない場合が生じる。
【０１５４】
そこで、本変形例では、画像データメモリＭ１に加え、比較データメモリを備えてもよい。図１３は、変形例３に係る表示装置１００の構成を示す図である。図１３の構成は、一例として、実施の形態１における図５の表示装置１００に、変形例３を適用した構成である。
【０１５５】
図１３を参照して、本変形例では、ソースドライバＩＣ６ａは、さらに、比較データメモリ１５ａを含む。また、ソースドライバＩＣ６ｂは、さらに、比較データメモリ１５ｂを含む。
【０１５６】
比較データメモリ１５ａには、比較処理Ａに使用される調整後画像データＤ１ａ，Ｄ２ａが格納される。比較データメモリ１５ｂには、比較処理Ａに使用される調整後画像データＤ１ｂ，Ｄ２ｂが格納される。
【０１５７】
これにより、画像調整処理が行なわれていない期間における任意のタイミングで比較処理Ａを行なうことができる。また、画像調整処理が行なわれていない期間として、例えば、水平方向のライン間において、比較処理Ａを行うことができる。
【０１５８】
＜変形例４＞
本変形例は、実施の形態１、変形例１、変形例２および変形例３の全てまたは一部に適用される。本変形例では、比較処理Ａにおいて、画像データの比較に加え、パラメータ値の比較が行なわれる。
【０１５９】
図１４は、変形例４に係る表示装置１００の構成を示す図である。図１４の構成は、一例として、実施の形態１における図５の表示装置１００に、変形例４を適用した構成である。
【０１６０】
以下においては、ソースドライバＩＣ６ａ（画像調整部６０ａ）が画像調整処理を行なうために使用するパラメータ値を、「第１パラメータ値」ともいう。第１パラメータ値は、設置値メモリ４０ａに格納されている。また、以下においては、ソースドライバＩＣ６ｂ（画像調整部６０ｂ）が画像調整処理を行なうために使用するパラメータ値を、「第２パラメータ値」ともいう。第２パラメータ値は、設置値メモリ４０ｂに格納されている。
【０１６１】
以下においては、第１パラメータ値と第２パラメータ値とを比較する処理を、「比較処理Ｐ」ともいう。本変形例の比較処理Ａは、比較処理Ｐを含む。
【０１６２】
そのため、本変形例では、表示装置１００が、第１パラメータ値と第２パラメータ値とを比較する比較処理Ｐを含む比較処理Ａを行なう。本変形例の比較処理Ａは、２つの調整後画像データを比較する処理と、比較処理Ｐとを含む。２つの調整後画像データを比較する処理は、実施の形態１と同様な処理である。
【０１６３】
本変形例では、ソースドライバＩＣ６ａおよびソースドライバＩＣ６ｂの両方または一方が、比較処理Ａ（比較処理Ｐ）を行う。具体的には、比較部３０ａおよび比較部３０ｂの両方または一方が、比較処理Ａ（比較処理Ｐ）を行なう。
【０１６４】
例えば、比較部３０ａは、第１パラメータ値と第２パラメータ値とを比較する比較処理Ｐを行なう。比較処理Ｐの結果が、第１パラメータ値と第２パラメータ値とが一致しないという結果である場合、表示装置１００（比較部３０ａ）は、当該表示装置１００において異常が発生していると判定する。
【０１６５】
通常、不揮発性メモリに格納されているパラメータ値（設定値）が揮発性メモリにコピーされて、比較処理Ｐが行なわれる。なお、比較処理Ｐにおいて、不揮発性メモリおよび揮発性メモリの両方のパラメータ値が比較されても良い。
【０１６６】
＜変形例５＞
本変形例は、実施の形態１、変形例１、変形例２、変形例３および変形例４の全てまたは一部に適用される。本変形例では、ソースドライブに含まれる後述のデータレジスタを使用して比較処理Ａが行われる。
【０１６７】
なお、ソースドライブ１０１ａ，１０１ｂの各々は、Ｄ／Ａ変換を行なう機能を有する。詳細は後述するが、例えば、ソースドライブ１０１ａは、タイミングコントローラ１０２ａから受信する画像データＧｄａ（調整後画像データ）が示すデジタル値に対し、Ｄ／Ａ変換を行なう。
【０１６８】
図１５は、変形例５に係る表示装置１００の一部の構成を示す図である。なお、図１５では、変形例５に係る表示装置１００の主要な構成が示されている。
【０１６９】
本変形例では、ソースドライブ１０１ａは、データレジスタ７１ａと、Ｄ／Ａ変換部７２ａと、出力部７３ａとを含む。
【０１７０】
出力部７３ａは、ソース電圧を出力する。ソース電圧は、前述したように、表示装置１００が前述の調整後画像データに基づいた画像を表示するための電圧である。以下においては、ソース電圧を、「ソース電圧Ｖｓ」または「Ｖｓ」とも表記する。
【０１７１】
また、ソースドライブ１０１ｂは、データレジスタ７１ｂと、Ｄ／Ａ変換部７２ｂと、出力部７３ｂとを含む。なお、データレジスタ７１ｂ、Ｄ／Ａ変換部７２ｂおよび出力部７３ｂは、それぞれ、データレジスタ７１ａ、Ｄ／Ａ変換部７２ａおよび出力部７３ａと同様な処理を行なう。
【０１７２】
次に、本変形例における処理として、主に、ソースドライブ１０１ａにおける処理について説明する。本変形例では、タイミングコントローラ１０２ａは、画像データＧｄａとしての前述の調整後画像データＤ１ａ，Ｄ２ａを、ソースドライブ１０１ａへ送信する。調整後画像データＤ１ａ，Ｄ２ａは、実施の形態１で説明したデータである。
【０１７３】
ソースドライブ１０１ａは、タイミングコントローラ１０２ａから受信した画像データＧｄａ（調整後画像データＤ１ａ，Ｄ２ａ）をデータレジスタ７１ａに格納する。なお、データレジスタ７１ａに格納される画像データＧｄａ（調整後画像データＤ１ａ，Ｄ２ａ）の状態は、水平方向スキャン切替、液晶印加極性等が考慮された状態となっている。なお、画像データＧｄａ（調整後画像データＤ１ａ）は、Ｄ／Ａ変換部７２ａへ送信される。
【０１７４】
次に、Ｄ／Ａ変換部７２ａは、画像データＧｄａが示すデジタル値に対し、Ｄ／Ａ変換を行なう。Ｄ／Ａ変換は、デジタル値をアナログ値へ変換する処理である。そして、出力部７３ａは、Ｄ／Ａ変換された画像データＧｄａに基づいたソース電圧Ｖｓを出力する。
【０１７５】
なお、データレジスタ７１ａには、ソース電圧Ｖｓとして出力されない画像データＧｄａも格納される。例えば、ソースドライブ１０１ｂが出力する画像データＧｄａもデータレジスタ７１ａに格納される。
【０１７６】
また、本変形例では、ソースドライブ１０１ａは、データレジスタ７１ａに格納された調整後画像データＤ２ａを、ソースドライバＩＣ６ｂの比較部３０ｂへ送信する。なお、ソースドライブ１０１ｂにおいても、ソースドライブ１０１ａにおける上記の処理と同様な処理が行われる。これにより、ソースドライブ１０１ｂは、データレジスタ７１ｂに格納された調整後画像データＤ２ｂを、ソースドライバＩＣ６ａの比較部３０ａへ送信する。
【０１７７】
そして、本変形例では、ソースドライバＩＣ６ａおよびソースドライバＩＣ６ｂの両方または一方が、比較処理Ａを行う。具体的には、比較部３０ａおよび比較部３０ｂの両方または一方が、実施の形態１と同様に、比較処理Ａを行なう。なお、比較処理Ａにおける比較対象の２つの調整後画像データは、Ｄ／Ａ変換が行われていないデジタル値を示す。
【０１７８】
そのため、本変形例では、比較部３０ａおよび比較部３０ｂの各々が、Ｄ／Ａ変換が行われていないデジタル値を使用して、比較処理Ａを行なう。なお、比較部３０ａおよび比較部３０ｂの一方のみが比較処理Ａを行なってもよい。
【０１７９】
また、例えば、比較処理Ａの結果が、不一致結果である場合、表示装置１００（比較部３０）は、当該表示装置１００において異常が発生していると判定する。この場合、表示装置１００（異常検出部２０ａ，２０ｂ）は、実施の形態１と同様に、異常信号Ｅａ，Ｅｂを出力する。また、異常検出部２０ａ，２０ｂは、実施の形態１と同様に、「１」をレジスタＲ１に格納する。
【０１８０】
なお、本変形例では、画像データメモリＭ１に加え、比較データメモリを備える構成（以下、「変形構成ｍ２」ともいう）としてもよい。図１６は、変形例５における、変形構成ｍ２が適用された表示装置１００の一部の構成を示す図である。本変形例の変形構成ｍ２では、ソースドライブ１０１ａは、さらに、比較データレジスタ７４ａを含む。また、ソースドライブ１０１ｂは、さらに、比較データレジスタ７４ｂを含む。
【０１８１】
本変形例の変形構成ｍ２では、比較データレジスタ７４ａには、比較処理Ａに使用される調整後画像データＤ１ａ，Ｄ２ａが格納される。また、比較データレジスタ７４ｂには、比較処理Ａに使用される調整後画像データＤ１ｂ，Ｄ２ｂが格納される。本変形例の変形構成ｍ２においても、前述の比較処理Ａが行われる。
【０１８２】
また、本変形例では、ソースドライブが比較処理Ａを行なう構成（以下、「変形構成ｍ３」ともいう）としてもよい。変形構成ｍ３では、比較部が、タイミングコントローラの代わりにソースドライブに設けられる。
【０１８３】
図１７は、変形例５における、変形構成ｍ３が適用された表示装置１００の一部の構成を示す図である。図１７を参照して、変形構成ｍ３では、比較部３０ａが、タイミングコントローラ１０２ａの代わりに、ソースドライブ１０１ａに設けられる。また、変形構成ｍ３では、比較部３０ｂが、タイミングコントローラ１０２ｂの代わりに、ソースドライブ１０１ｂに設けられる。
【０１８４】
また、本変形例の変形構成ｍ３では、ソースドライブ１０１ａは、データレジスタ７１ａに格納された調整後画像データＤ２ａを、ソースドライブ１０１ｂの比較部３０ｂへ送信する。なお、ソースドライブ１０１ｂにおいても、ソースドライブ１０１ａにおける上記の処理と同様な処理が行われる。これにより、ソースドライブ１０１ｂは、データレジスタ７１ｂに格納された調整後画像データＤ２ｂを、ソースドライブ１０１ａの比較部３０ａへ送信する。
【０１８５】
そして、変形構成ｍ３では、ソースドライバＩＣ６ａおよびソースドライバＩＣ６ｂの両方または一方が、比較処理Ａを行う。具体的には、ソースドライブ１０１ａ（比較部３０ａ）、および、ソースドライブ１０１ｂ（比較部３０ｂ）の両方または一方が、実施の形態１と同様に、比較処理Ａを行なう。なお、比較処理Ａにおける比較対象の２つの調整後画像データは、Ｄ／Ａ変換が行われていないデジタル値を示す。
【０１８６】
そのため、本変形例の変形構成ｍ３では、ソースドライブ１０１ａ（比較部３０ａ）、および、ソースドライブ１０１ｂ（比較部３０ｂ）の各々が、Ｄ／Ａ変換が行われていないデジタル値を使用して、比較処理Ａを行なう。なお、比較部３０ａおよび比較部３０ｂの一方のみが比較処理Ａを行なってもよい。
【０１８７】
以上説明したように、本変形例によれば、ソースドライブにおける、Ｄ／Ａ変換が行なわれる前の画像データ（調整後画像データ）が使用される。これにより、水平方向スキャン切替、液晶印加極性等が考慮された状態の２つの画像データ（調整後画像データ）を比較することができる。
【０１８８】
（機能ブロック図）
図１８は、表示装置ＢＬ１０の特徴的な機能構成を示すブロック図である。表示装置ＢＬ１０は、表示装置１００に相当する。つまり、図１８は、表示装置ＢＬ１０の有する機能のうち、本技術に関わる主要な機能を示すブロック図である。
【０１８９】
表示装置ＢＬ１０は、画像データの調整を行う画像調整処理を行う複数の画像調整素子を備える。
【０１９０】
各前記画像調整素子が、処理対象の前記画像データに対し前記画像調整処理を行なうことにより、当該画像調整素子は、調整後の当該画像データである調整後画像データを取得する。
【０１９１】
前記複数の画像調整素子は、第１画像調整素子ＢＬ１および第２画像調整素子ＢＬ２を含む。第１画像調整素子ＢＬ１は、ソースドライバＩＣ６ａに相当する。第２画像調整素子ＢＬ２は、ソースドライバＩＣ６ｂに相当する。
【０１９２】
表示装置ＢＬ１０は、第１画像調整素子ＢＬ１が前記画像調整処理を行なうことにより当該第１画像調整素子ＢＬ１が取得した前記調整後画像データである第１調整後画像データと、第２画像調整素子ＢＬ２が当該画像調整処理を行なうことにより当該第２画像調整素子ＢＬ２が取得した前記調整後画像データである第２調整後画像データとを比較する比較処理を行う。
【０１９３】
（その他の変形例）
なお、本発明は、その発明の範囲内において、実施の形態、各変形例を自由に組み合わせたり、実施の形態、各変形例を適宜、変形、省略することが可能である。
【０１９４】
例えば、表示装置１００は、図で示される全ての構成要素を含まなくてもよい。すなわち、表示装置１００は、本技術の効果を実現できる最小限の構成要素のみを含めばよい。
【０１９５】
また、本技術は、表示装置１００が備える特徴的な構成部の動作をステップとする比較制御方法として実現してもよい。また、本技術は、そのような比較制御方法に含まれる各ステップをコンピュータに実行させるプログラムとして実現してもよい。また、本技術は、そのようなプログラムを格納するコンピュータ読み取り可能な記録媒体として実現されてもよい。また、当該プログラムは、インターネット等の伝送媒体を介して配信されてもよい。
【０１９６】
また、上記実施の形態または各変形例で用いた全ての数値は、本技術を具体的に説明するための一例の数値である。すなわち、本技術は、上記実施の形態または各変形例で用いた各数値に制限されない。
【符号の説明】
【０１９７】
６ａ，６ｂ  ソースドライバＩＣ、３０，３０ａ，３０ｂ  比較部、６０，６０ａ，６０ｂ  画像調整部、１００，ＢＬ１０  表示装置、１０１ａ，１０１ｂ  ソースドライブ、ＢＬ１  第１画像調整素子、ＢＬ２  第２画像調整素子。
【図１】
2020181040.tif 000003
【図２】
2020181040.tif 000004
【図３】
2020181040.tif 000005
【図４】
2020181040.tif 000006
【図５】
2020181040.tif 000007
【図６】
2020181040.tif 000008
【図７】
2020181040.tif 000009
【図８】
2020181040.tif 000010
【図９】
2020181040.tif 000011
【図１０】
2020181040.tif 000012
【図１１】
2020181040.tif 000013
【図１２】
2020181040.tif 000014
【図１３】
2020181040.tif 000015
【図１４】
2020181040.tif 000016
【図１５】
2020181040.tif 000017
【図１６】
2020181040.tif 000018
【図１７】
2020181040.tif 000019
【図１８】
2020181040.tif 000020